(57)【要約】【課題】被検者への負担や画質の低下といった問題を伴うことなくゴースト光を除去することが可能な走査型レーザ検眼鏡を提供する。【解決手段】実施形態の走査型レーザ検眼鏡は、被検眼にレーザ光を照射することで眼底をスキャンし、このレーザ光の被検眼からの戻り光を検出する光学系と、この戻り光の検出結果に基づいて眼底の正面画像を形成する画像形成部とを有する。光学系は、光学素子群と、受光素子とを有する。光学素子群は、レーザ光の眼底からの戻り光のうち前眼部からの戻り光と実質的に異なる偏光成分を選択的に通過させる。受光素子は、光学素子群を通過した偏光成分を検出して電気信号を出力する。画像形成部は、受光素子から出力された電気信号に基づいて、眼底の正面画像を形成する。【選択図】図４
2014226156.tif 000002
【特許請求の範囲】
【請求項１】
被検眼にレーザ光を照射することで眼底をスキャンし、前記レーザ光の被検眼からの戻り光を検出する光学系と、
前記戻り光の検出結果に基づいて眼底の正面画像を形成する画像形成部と
を有する走査型レーザ検眼鏡であって、
前記光学系は、
前記レーザ光の眼底からの戻り光のうち前眼部からの戻り光と実質的に異なる偏光成分を選択的に通過させる光学素子群と、
前記光学素子群を通過した前記偏光成分を検出して電気信号を出力する受光素子と
を含み、
前記画像形成部は、前記受光素子から出力された電気信号に基づいて前記正面画像を形成する
ことを特徴とする走査型レーザ検眼鏡。
【請求項２】
前記光学素子群は、
光源から出力されたレーザ光の偏光特性を、当該レーザ光の進行方向に対して第１回転方向の円偏光に変換する偏光特性変換素子と、
前記円偏光のレーザ光の被検眼からの戻り光のうち、前記第１回転方向に対応する第１方向の直線偏光成分を選択的に通過させる偏光成分選択素子と
を含む
ことを特徴とする請求項１に記載の走査型レーザ検眼鏡。
【請求項３】
前記偏光特性変換素子は、
前記光源から出力されたレーザ光の偏光特性を、前記第１方向の直線偏光に変換する第１偏光子と、
前記第１偏光子を通過したレーザ光の偏光特性を、前記第１方向の直線偏光から前記第１回転方向の円偏光に変換する第１波長板と
を含み、
前記偏光成分選択素子は、
被検眼からの戻り光に含まれる前記第１回転方向の円偏光成分を前記第１方向の直線偏光成分に変換し、且つ、前記第１回転方向とは逆の第２回転方向の円偏光成分を、前記第１方向に直交する第２方向の直線偏光成分に変換する第２波長板と、
前記第２波長板により得られた前記第１方向の直線偏光成分および前記第２方向の直線偏光のうち、前記第１方向の直線偏光成分を選択的に通過させる第２偏光子と
を含む
ことを特徴とする請求項２に記載の走査型レーザ検眼鏡。
【請求項４】
前記第１波長板と前記第２波長板とが同一の部材であることを特徴とする請求項３に記載の走査型レーザ検眼鏡。
【請求項５】
前記第１偏光子と前記第２偏光子とが同一の部材であることを特徴とする請求項４に記載の走査型レーザ検眼鏡。
【請求項６】
前記光学素子群は、
光源から出力された第１方向の直線偏光のレーザ光の偏光特性を、当該レーザ光の進行方向に対して第１回転方向の円偏光に変換する偏光特性変換素子と、
前記円偏光のレーザ光の被検眼からの戻り光のうち、前記第１回転方向に対応する第１方向の直線偏光成分を選択的に通過させる偏光成分選択素子と
を含む
ことを特徴とする請求項１に記載の走査型レーザ検眼鏡。
【請求項７】
前記偏光特性変換素子は、前記第１方向の直線偏光のレーザ光の偏光特性を前記第１回転方向の円偏光に変換する第１波長板を含み、
前記偏光成分選択素子は、
被検眼からの戻り光に含まれる前記第１回転方向の円偏光成分を前記第１方向の直線偏光成分に変換し、且つ、前記第１回転方向とは逆の第２回転方向の円偏光成分を、前記第１方向に直交する第２方向の直線偏光成分に変換する第２波長板と、
前記第２波長板により得られた前記第１方向の直線偏光成分および前記第２方向の直線偏光のうち、前記第１方向の直線偏光成分を選択的に通過させる偏光子と
を含む
ことを特徴とする請求項６に記載の走査型レーザ検眼鏡。
【請求項８】
前記第１波長板と前記第２波長板とが同一の部材であることを特徴とする請求項７に記載の走査型レーザ検眼鏡。
【請求項９】
前記光学系は、光源から出力された、進行方向に対して第１回転方向の円偏光のレーザ光を、被検眼に照射し、
前記光学素子群は、前記円偏光のレーザ光の被検眼からの戻り光のうち、前記第１回転方向に対応する第１方向の直線偏光成分を選択的に通過させる偏光成分選択素子を含む
ことを特徴とする請求項１に記載の走査型レーザ検眼鏡。
【請求項１０】
前記偏光成分選択素子は、
被検眼からの戻り光に含まれる前記第１回転方向の円偏光成分を前記第１方向の直線偏光成分に変換し、且つ、前記第１回転方向とは逆の第２回転方向の円偏光成分を、前記第１方向に直交する第２方向の直線偏光成分に変換する波長板と、
前記波長板により得られた前記第１方向の直線偏光成分および前記第２方向の直線偏光のうち、前記第１方向の直線偏光成分を選択的に通過させる偏光子と
を含む
ことを特徴とする請求項９に記載の走査型レーザ検眼鏡。
【請求項１１】
前記光学素子群は、
光源から出力されたレーザ光の偏光特性をラジアル偏光に変換する偏光特性変換素子と、
前記ラジアル偏光のレーザ光の被検眼からの戻り光のうちアジマス偏光成分を選択的に通過させる偏光成分選択素子と
を含む
ことを特徴とする請求項１に記載の走査型レーザ検眼鏡。
【請求項１２】
前記偏光特性変換素子は、
前記光源から出力されたレーザ光の偏光特性を直線偏光に変換する偏光子と、
前記偏光子を通過したレーザ光の偏光特性を、前記直線偏光からラジアル偏光に変換する第１偏光制御素子と
を含み、
前記偏光成分選択素子は、被検眼からの戻り光のうちアジマス偏光成分を選択的に通過させる第２偏光制御素子を含む
ことを特徴とする請求項１１に記載の走査型レーザ検眼鏡。
【請求項１３】
前記光学素子群は、
光源から出力されたレーザ光の偏光特性をアジマス偏光に変換する偏光特性変換素子と、
前記アジマス偏光のレーザ光の被検眼からの戻り光のうちラジアル偏光成分を選択的に通過させる偏光成分選択素子と
を含む
ことを特徴とする請求項１に記載の走査型レーザ検眼鏡。
【請求項１４】
前記偏光特性変換素子は、
前記光源から出力されたレーザ光の偏光特性を直線偏光に変換する偏光子と、
前記偏光子を通過したレーザ光の偏光特性を、前記直線偏光からアジマス偏光に変換する第１偏光制御素子と
を含み、
前記偏光成分選択素子は、被検眼からの戻り光のうちラジアル偏光成分を選択的に通過させる第２偏光制御素子を含む
ことを特徴とする請求項１３に記載の走査型レーザ検眼鏡。
【請求項１５】
前記光学素子群は、
光源から出力された直線偏光のレーザ光の偏光特性をラジアル偏光に変換する偏光特性変換素子と、
前記ラジアル偏光のレーザ光の被検眼からの戻り光のうちアジマス偏光成分を選択的に通過させる偏光成分選択素子と
を含む
ことを特徴とする請求項１に記載の走査型レーザ検眼鏡。
【請求項１６】
前記光学素子群は、
光源から出力された直線偏光のレーザ光の偏光特性をアジマス偏光に変換する偏光特性変換素子と、
前記アジマス偏光のレーザ光の被検眼からの戻り光のうちラジアル偏光成分を選択的に通過させる偏光成分選択素子と
を含む
ことを特徴とする請求項１に記載の走査型レーザ検眼鏡。
【請求項１７】
前記光学系は、光源から出力されたラジアル偏光のレーザ光を被検眼に照射し、
前記光学素子群は、前記ラジアル偏光のレーザ光の被検眼からの戻り光のうちアジマス偏光成分を選択的に通過させる偏光成分選択素子を含む
ことを特徴とする請求項１に記載の走査型レーザ検眼鏡。
【請求項１８】
前記光学系は、光源から出力されたアジマス偏光のレーザ光を被検眼に照射し、
前記光学素子群は、前記アジマス偏光のレーザ光の被検眼からの戻り光のうちラジアル偏光成分を選択的に通過させる偏光成分選択素子を含む
ことを特徴とする請求項１に記載の走査型レーザ検眼鏡。
【発明の詳細な説明】
【技術分野】
【０００１】
この発明は、眼底撮影に用いられる走査型レーザ検眼鏡に関する。
【背景技術】
【０００２】
走査型レーザ検眼鏡（Ｓｃａｎｎｉｎｇ  Ｌａｓｅｒ  Ｏｐｈｔｈａｌｍｏｓｃｏｐｅ）は、レーザ光で眼底をスキャンし、その戻り光を受光デバイスで検出することにより、眼底の正面画像を形成する装置である。
【０００３】
走査型レーザ検眼鏡を用いた計測において、被検眼からの戻り光には、画像化に寄与する眼底からの戻り光だけでなく、角膜反射光のような前眼部からの戻り光も含まれている。前眼部からの戻り光は、形成された画像にゴースト光として表れることがあり、眼底の当該部位の観察を妨げる。同様に、装置光学系に含まれる光学素子（レンズなど）からの反射光が同様の問題を引き起こすこともある。この問題に対して次のような対策が採られてきた。
【０００４】
第１の対策として、被検眼の軸から外れた位置（つまり角膜頂点や瞳孔中心から外れた位置）からレーザ光を被検眼に入射させることにより、前眼部からの戻り光を装置光学系に入射させなくする方法がある。しかし、この方法の適用には、被検眼の瞳孔径が大きいという条件が必要である。よって、被検者への負担となる散瞳剤を投与しなければならなかったり、被検眼に対する装置光学系のアライメントが困難になったりといった、新たな問題が生じてしまう。
【０００５】
第２の対策として、十分に小さな開口の共焦点絞りを用いることで、前眼部からの戻り光を遮断する方法がある。しかし、共焦点絞りを用いると、眼底からの戻り光の一部も遮断してしまうこととなり、受光効率が低下してしまう。よって、走査型レーザ検眼鏡による計測では共焦点絞りが用いられないことが多い。たとえば特許文献２に記載されているように、眼底に形成されるレーザ光のスポットの径の４倍以上の大きさの開口を有する受光絞りを用いるのが通常である。なお、このような開口サイズの受光絞りでは、ゴースト光を十分に抑制することはできない。
【０００６】
第３の対策として、直線偏光のレーザ光を被検眼に照射し、それに直交する偏光成分を選択的に検出する方法がある。このように直線偏光のレーザ光を用いると、眼底の偏光特性によって画像の明るさにムラができ、画質が低下するという問題が生じてしまう。
【先行技術文献】
【特許文献】
【０００７】
【特許文献１】特許第４７７４２６１号
【特許文献２】米国特許第７７０３９２２号
【発明の概要】
【発明が解決しようとする課題】
【０００８】
この発明の目的は、被検者への負担や画質の低下といった問題を伴うことなくゴースト光を除去することが可能な走査型レーザ検眼鏡を提供することにある。
【課題を解決するための手段】
【０００９】
請求項１に記載の発明は、被検眼にレーザ光を照射することで眼底をスキャンし、前記レーザ光の被検眼からの戻り光を検出する光学系と、前記戻り光の検出結果に基づいて眼底の正面画像を形成する画像形成部とを有する走査型レーザ検眼鏡であって、前記光学系は、前記レーザ光の眼底からの戻り光のうち前眼部からの戻り光と実質的に異なる偏光成分を選択的に通過させる光学素子群と、前記光学素子群を通過した前記偏光成分を検出して電気信号を出力する受光素子とを含み、前記画像形成部は、前記受光素子から出力された電気信号に基づいて前記正面画像を形成することを特徴とする。
請求項２に記載の発明は、請求項１に記載の走査型レーザ検眼鏡であって、前記光学素子群は、光源から出力されたレーザ光の偏光特性を、当該レーザ光の進行方向に対して第１回転方向の円偏光に変換する偏光特性変換素子と、前記円偏光のレーザ光の被検眼からの戻り光のうち、前記第１回転方向に対応する第１方向の直線偏光成分を選択的に通過させる偏光成分選択素子とを含むことを特徴とする。
請求項３に記載の発明は、請求項２に記載の走査型レーザ検眼鏡であって、前記偏光特性変換素子は、前記光源から出力されたレーザ光の偏光特性を、前記第１方向の直線偏光に変換する第１偏光子と、前記第１偏光子を通過したレーザ光の偏光特性を、前記第１方向の直線偏光から前記第１回転方向の円偏光に変換する第１波長板とを含み、前記偏光成分選択素子は、被検眼からの戻り光に含まれる前記第１回転方向の円偏光成分を前記第１方向の直線偏光成分に変換し、且つ、前記第１回転方向とは逆の第２回転方向の円偏光成分を、前記第１方向に直交する第２方向の直線偏光成分に変換する第２波長板と、前記第２波長板により得られた前記第１方向の直線偏光成分および前記第２方向の直線偏光のうち、前記第１方向の直線偏光成分を選択的に通過させる第２偏光子とを含むことを特徴とする。
請求項４に記載の発明は、請求項３に記載の走査型レーザ検眼鏡であって、前記第１波長板と前記第２波長板とが同一の部材であることを特徴とする。
請求項５に記載の発明は、請求項４に記載の走査型レーザ検眼鏡であって、前記第１偏光子と前記第２偏光子とが同一の部材であることを特徴とする。
請求項６に記載の発明は、請求項１に記載の走査型レーザ検眼鏡であって、前記光学素子群は、光源から出力された第１方向の直線偏光のレーザ光の偏光特性を、当該レーザ光の進行方向に対して第１回転方向の円偏光に変換する偏光特性変換素子と、前記円偏光のレーザ光の被検眼からの戻り光のうち、前記第１回転方向に対応する第１方向の直線偏光成分を選択的に通過させる偏光成分選択素子とを含むことを特徴とする。
請求項７に記載の発明は、請求項６に記載の走査型レーザ検眼鏡であって、前記偏光特性変換素子は、前記第１方向の直線偏光のレーザ光の偏光特性を前記第１回転方向の円偏光に変換する第１波長板を含み、前記偏光成分選択素子は、被検眼からの戻り光に含まれる前記第１回転方向の円偏光成分を前記第１方向の直線偏光成分に変換し、且つ、前記第１回転方向とは逆の第２回転方向の円偏光成分を、前記第１方向に直交する第２方向の直線偏光成分に変換する第２波長板と、前記第２波長板により得られた前記第１方向の直線偏光成分および前記第２方向の直線偏光のうち、前記第１方向の直線偏光成分を選択的に通過させる偏光子とを含むことを特徴とする。
請求項８に記載の発明は、請求項７に記載の走査型レーザ検眼鏡であって、前記第１波長板と前記第２波長板とが同一の部材であることを特徴とする。
請求項９に記載の発明は、請求項１に記載の走査型レーザ検眼鏡であって、前記光学系は、光源から出力された、進行方向に対して第１回転方向の円偏光のレーザ光を、被検眼に照射し、前記光学素子群は、前記円偏光のレーザ光の被検眼からの戻り光のうち、前記第１回転方向に対応する第１方向の直線偏光成分を選択的に通過させる偏光成分選択素子を含むことを特徴とする。
請求項１０に記載の発明は、請求項９に記載の走査型レーザ検眼鏡であって、前記偏光成分選択素子は、被検眼からの戻り光に含まれる前記第１回転方向の円偏光成分を前記第１方向の直線偏光成分に変換し、且つ、前記第１回転方向とは逆の第２回転方向の円偏光成分を、前記第１方向に直交する第２方向の直線偏光成分に変換する波長板と、前記波長板により得られた前記第１方向の直線偏光成分および前記第２方向の直線偏光のうち、前記第１方向の直線偏光成分を選択的に通過させる偏光子とを含むことを特徴とする。
請求項１１に記載の発明は、請求項１に記載の走査型レーザ検眼鏡であって、前記光学素子群は、光源から出力されたレーザ光の偏光特性をラジアル偏光に変換する偏光特性変換素子と、前記ラジアル偏光のレーザ光の被検眼からの戻り光のうちアジマス偏光成分を選択的に通過させる偏光成分選択素子とを含むことを特徴とする。
請求項１２に記載の発明は、請求項１１に記載の走査型レーザ検眼鏡であって、前記偏光特性変換素子は、前記光源から出力されたレーザ光の偏光特性を直線偏光に変換する偏光子と、前記偏光子を通過したレーザ光の偏光特性を、前記直線偏光からラジアル偏光に変換する第１偏光制御素子とを含み、前記偏光成分選択素子は、被検眼からの戻り光のうちアジマス偏光成分を選択的に通過させる第２偏光制御素子を含むことを特徴とする。
請求項１３に記載の発明は、請求項１に記載の走査型レーザ検眼鏡であって、前記光学素子群は、光源から出力されたレーザ光の偏光特性をアジマス偏光に変換する偏光特性変換素子と、前記アジマス偏光のレーザ光の被検眼からの戻り光のうちラジアル偏光成分を選択的に通過させる偏光成分選択素子とを含むことを特徴とする。
請求項１４に記載の発明は、請求項１３に記載の走査型レーザ検眼鏡であって、前記偏光特性変換素子は、前記光源から出力されたレーザ光の偏光特性を直線偏光に変換する偏光子と、前記偏光子を通過したレーザ光の偏光特性を、前記直線偏光からアジマス偏光に変換する第１偏光制御素子とを含み、前記偏光成分選択素子は、被検眼からの戻り光のうちラジアル偏光成分を選択的に通過させる第２偏光制御素子を含むことを特徴とする。
請求項１５に記載の発明は、請求項１に記載の走査型レーザ検眼鏡であって、前記光学素子群は、光源から出力された直線偏光のレーザ光の偏光特性をラジアル偏光に変換する偏光特性変換素子と、前記ラジアル偏光のレーザ光の被検眼からの戻り光のうちアジマス偏光成分を選択的に通過させる偏光成分選択素子とを含むことを特徴とする。
請求項１６に記載の発明は、請求項１に記載の走査型レーザ検眼鏡であって、前記光学素子群は、光源から出力された直線偏光のレーザ光の偏光特性をアジマス偏光に変換する偏光特性変換素子と、前記アジマス偏光のレーザ光の被検眼からの戻り光のうちラジアル偏光成分を選択的に通過させる偏光成分選択素子とを含むことを特徴とする。
請求項１７に記載の発明は、請求項１に記載の走査型レーザ検眼鏡であって、前記光学系は、光源から出力されたラジアル偏光のレーザ光を被検眼に照射し、前記光学素子群は、前記ラジアル偏光のレーザ光の被検眼からの戻り光のうちアジマス偏光成分を選択的に通過させる偏光成分選択素子を含むことを特徴とする。
請求項１８に記載の発明は、請求項１に記載の走査型レーザ検眼鏡であって、前記光学系は、光源から出力されたアジマス偏光のレーザ光を被検眼に照射し、前記光学素子群は、前記アジマス偏光のレーザ光の被検眼からの戻り光のうちラジアル偏光成分を選択的に通過させる偏光成分選択素子を含むことを特徴とする。
【発明の効果】
【００１０】
この発明に係る走査型レーザ検眼鏡によれば、被検者への負担や画質の低下といった問題を伴うことなくゴースト光を除去することが可能である。
【図面の簡単な説明】
【００１１】
【図１】実施形態に係る走査型レーザ検眼鏡の構成の例を示す。
【図２】実施形態に係る走査型レーザ検眼鏡による光スキャンの例を示す。
【図３】実施形態に係る走査型レーザ検眼鏡の構成の例を示す。
【図４】実施形態に係る走査型レーザ検眼鏡における偏光状態の変化の例を示す。
【図５】実施形態に係る走査型レーザ検眼鏡の構成の例を示す。
【図６】実施形態に係る走査型レーザ検眼鏡における偏光状態の変化の例を示す。
【図７】実施形態に係る走査型レーザ検眼鏡の構成の例を示す。
【図８】実施形態に係る走査型レーザ検眼鏡における偏光状態の変化の例を示す。
【図９】実施形態に係る走査型レーザ検眼鏡の構成の例を示す。
【図１０】実施形態に係る走査型レーザ検眼鏡における偏光状態の変化の例を示す。
【図１１】実施形態に係る走査型レーザ検眼鏡の構成の例を示す。
【図１２】実施形態に係る走査型レーザ検眼鏡における偏光状態の変化の例を示す。
【図１３】実施形態に係る走査型レーザ検眼鏡の構成の例を示す。
【図１４】実施形態に係る走査型レーザ検眼鏡における偏光状態の変化の例を示す。
【図１５】実施形態に係る走査型レーザ検眼鏡における偏光状態の変化の例を示す。
【図１６】実施形態に係る走査型レーザ検眼鏡の構成の例を示す。
【図１７】実施形態に係る走査型レーザ検眼鏡における偏光状態の変化の例を示す。
【図１８】実施形態に係る走査型レーザ検眼鏡における偏光状態の変化の例を示す。
【図１９】実施形態に係る走査型レーザ検眼鏡の構成の例を示す。
【図２０】実施形態に係る走査型レーザ検眼鏡における偏光状態の変化の例を示す。
【図２１】実施形態に係る走査型レーザ検眼鏡における偏光状態の変化の例を示す。
【発明を実施するための形態】
【００１２】
実施形態に係る走査型レーザ検眼鏡について、図面を参照しながら詳細に説明する。
【００１３】
〈構成〉
実施形態に係る走査型レーザ検眼鏡の構成例を図１に示す。走査型レーザ検眼鏡１は、被検眼Ｅの眼底Ｅｆをレーザ光で走査し、その戻り光を受光デバイスで検出することにより、眼底Ｅｆの正面画像を形成する。走査型レーザ検眼鏡１は、光学系と、処理系とを有する。光学系は、眼底Ｅｆの光学的な計測を行う。光学系は、各種の光学素子や光学デバイスを含んで構成される。処理系は、光学系により取得されたデータの処理や、装置各部の制御などを行う。処理系は、演算装置、制御装置、記憶装置（ＲＡＭ、ＲＯＭ、ハードディスクドライブなど）、ユーザインターフェイス、通信インターフェイスなどを含んで構成される。
【００１４】
（光学系）
光源部１０には、光源１１と、コリメートレンズ１２と、光学素子１３とが設けられている。光源１１としては、空間的コヒーレンシの高いレーザ光Ｌ０を出力する光源が用いられる。そのような光源として、半導体レーザ光源（波長掃引レーザ、スーパルミネッセンとダイオードなど）、固体レーザ、ガスレーザなどがある。また、このような光源から出力された光を光ファイバに結合させたものや、ファイバレーザなどを、光源１１として用いることも可能である。コリメートレンズ１２は、光源１１から出力されたレーザ光Ｌ０を平行光束にする。
【００１５】
光学素子１３は、各種機能を有する１つ以上の光学素子を含む。その例として、波長板・偏光子などの偏光制御素子、開口（絞り）などの光束制限素子、波長選択フィルタなどの波長制限素子がある。また、光学素子１３は、同種または異種の光学素子を組み合わせた複合素子であってよい。また、複数の光学素子１３を選択的に適用可能な構成としてもよい。なお、光学素子１３の構成例については後述する。
【００１６】
コリメートレンズ１２により平行光束とされたレーザ光Ｌ０は、光学素子１３を経由してビームスプリッタ３０に導かれる。レーザ光Ｌ０のうちビームスプリッタ３０を透過した成分（同じくレーザ光Ｌ０と呼ぶ）は、光スキャナ４０に導かれる。実施形態の光スキャナ４０は、２軸光スキャナであるとする。つまり、光スキャナ４０は、レーザ光Ｌ０を２次元的に偏向可能な構成を有する。
【００１７】
光スキャナ４０から出力されるレーザ光Ｌは、２次元的に偏向されたコリメート光である。コリメートされたレーザ光Ｌは、リレーレンズ５０により集束光とされ、眼底Ｅｆと共役な面（眼底共役面）Ｐｃにおいて空中結像される。さらに、レーザ光Ｌは、合焦レンズとしての対物レンズ６０を透過し、被検眼Ｅに入射する。なお、対物レンズ６０と被検眼Ｅとの間に、四分の一波長板などの偏光制御素子を挿入可能に構成されていてもよい。
【００１８】
被検眼Ｅに入射したレーザ光Ｌの一部は、被検眼Ｅの前眼部にて散乱される。また、レーザ光Ｌの他の一部は、虹彩Ｅｉの中央の瞳孔を通過し、水晶体Ｅｃを透過し、眼底Ｅｆにスポット光として結像される。対物レンズ６０と鏡筒部６１は、その軸方向（つまり光軸方向）に移動可能に設けられている。対物レンズ６０と鏡筒部６１は、被検眼Ｅの屈折力に応じて光軸方向に移動される。それにより、眼底共役面Ｐｃが眼底Ｅｆと共役な位置に配置される。その結果、レーザ光Ｌは、鮮明なスポット光を眼底Ｅｆ上に形成する。
【００１９】
眼底Ｅｆに照射されたレーザ光Ｌの戻り光（眼底戻り光と呼ぶことがある）は、スポット光の形成位置（およびその近傍）から走査型レーザ検眼鏡１に戻ってくる光である。眼底戻り光には、眼底Ｅｆによるレーザ光Ｌの散乱光（反射光や後方散乱光）、並びに、レーザ光Ｌを励起光とする蛍光およびその散乱光などが含まれる。眼底戻り光は、水晶体Ｅｃを通過し、瞳孔を通過し、被検眼Ｅから出射する。
【００２０】
一方、前述したように、被検眼Ｅに入射されたレーザ光Ｌの一部は前眼部にて散乱される。この散乱光（前眼部散乱光）には角膜反射光などが含まれる。前眼部散乱光の少なくとも一部は、眼底戻り光とともに走査型レーザ検眼鏡１に戻ってくる。前眼部散乱光のうち走査型レーザ検眼鏡１に戻ってくる光を前眼部戻り光と呼ぶことがある。後述する受光部７０の光束制限素子７３などこの光学系の構成により、受光素子７４に到達する前眼部戻り光のほとんどは角膜による正反射光である。以下、眼底戻り光と前眼部戻り光とをまとめて（被検眼Ｅからの）戻り光と呼ぶことがある。この戻り光を符号ＲＬで示す。
【００２１】
被検眼Ｅからの戻り光ＲＬは、対物レンズ６０を透過し、眼底共役面Ｐｃにおいて空中結像され、リレーレンズ５０により平行光束に変換され、光スキャナ４０を経由し、ビームスプリッタ３０に導かれる。戻り光ＲＬのうちビームスプリッタ３０に反射された成分（同じく戻り光ＲＬと呼ぶ）は、受光部７０に導かれる。
【００２２】
なお、受光部７０に導かれる戻り光ＲＬには、光スキャナ４０の内部の光学素子（レンズ）によるレーザ光Ｌ０の反射光や、リレーレンズ５０または対物レンズ６０によるレーザ光Ｌの反射光などが混入していることがある。
【００２３】
受光部７０は、光学素子７１と、集光レンズ７２と、光束制限素子７３と、受光素子７４とを含む。
【００２４】
光学素子７１は、各種機能を有する１つ以上の光学素子を含む。その例として、波長板・偏光子などの偏光制御素子、開口（絞り）などの光束制限素子、波長選択フィルタなどの波長制限素子がある。また、光学素子７１は、同種または異種の光学素子を組み合わせた複合素子であってよい。また、複数の光学素子７１を選択的に適用可能な構成としてもよい。なお、光学素子７１の構成例については後述する。
【００２５】
光学素子７１を透過した戻り光ＲＬは、集光レンズ７２により集束光とされ、光束制限素子７３に導かれる。光束制限素子７３には、光を遮断する遮光領域と、光を通過させる開口（透光領域）とが設けられている。開口は、たとえば、円形開口、楕円形開口、ドーナツ状開口などである。開口は、１つ以上の任意個数だけ設けられる。複数の開口が設けられる場合、戻り光ＲＬの光路に対してこれら開口が択一的に配置される。
【００２６】
光束制限素子７３の開口を通過した戻り光ＲＬ（の一部）は、受光素子７４により検出される。受光素子７４は、検出された戻り光ＲＬを光電変換し、電気信号（受光信号）を出力する。受光素子７４は、たとえばアバランシェフォトダイオードである。
【００２７】
以上のプロセスは、眼底Ｅｆの一点の計測に相当する。すなわち、以上のプロセスは、図２に示す単一のスポット光の照射領域ＳＬの計測に相当する。光スキャナ４０による２次元的走査によって、スポット光の照射領域ＳＬが移動される。図２の符号ＳＴｉ（ｉ＝１〜Ｎ）は、照射領域ＳＬの移動パターンの例を示す。本例では、同方向を向く互いに平行な複数の直線状の軌跡に沿って、スポット光の照射領域ＳＬが移動される。なお、照射領域ＳＬの移動パターンはこれに限定されるものではない。他の移動パターンの例として、交互に逆方向を向き且つ互いに平行な複数の直線状の軌跡や、非平行な複数の直線状の軌跡や、曲線状の軌跡などがある。受光素子７４は、各照射領域ＳＬからの戻り光ＲＬを検出して受光信号を出力する。それにより、眼底Ｅｆの複数の位置における計測が順次に実行される。
【００２８】
なお、図２において、符号Ｅｆ１は視神経乳頭を示し、符号Ｅｆ２は黄斑部を示し、符号Ｅｆ３は血管を示す。
【００２９】
上記構成では、簡単のために、光源部１０により出力されるレーザ光Ｌ０を一種類に限定しているが、光源部１０は複数種類の光を出力可能に構成されていてよい。たとえば、出力波長が異なる複数の光源と、各光源に対応するコリメートレンズとを設け、これら光路を合流させる光学部材（ダイクロイックミラー等）を設けた構成を適用することが可能である。また、受光部７０についても、ビームスプリッタ３０からの光路を複数に分割する光学部材（ダイクロイックミラー等）を設け、これら光路のそれぞれに集光レンズおよび受光素子を配置した構成を適用することが可能である。
【００３０】
（処理系）
処理系は、制御部１００と、電源部１１０と、光源制御部１２０と、画像形成部１３０と、データ処理部１４０と、ユーザインターフェイス（ＵＩ）１５０とを含む。
【００３１】
（制御部１００）
処理系は、制御部１００を中心として構成される。制御部１００は、装置各部の制御を行う。制御部１００は、マイクロプロセッサおよび記憶装置を含んで構成される。記憶装置には、走査型レーザ検眼鏡１を制御するためのコンピュータプログラムがあらかじめ格納される。このコンピュータプログラムには、光源制御用プログラム、光スキャナ制御用プログラム、電源制御用プログラム、統括制御用プログラムなどが含まれる。このようなコンピュータプログラムにしたがってマイクロプロセッサが動作することにより、制御部１００は制御処理を実行する。
【００３２】
光学系に対する制御として、光源制御部１２０を介した光源１１の制御、複数の光学素子１３（７１）が設けられている場合における光学素子１３（７１）の選択、光スキャナ４０の制御、対物レンズ６０および鏡筒部６１の移動、光束制限素子７３の開口の切り替え、受光素子７４の動作制御などがある。処理系に対する制御として、各部の動作制御がある。
【００３３】
眼底Ｅｆの光学的計測が行われているときに、または光学的計測が終了した後に、制御部１００は、画素位置信号を生成し、画像形成部１３０に送る。画素位置信号は、光スキャナ制御用プログラムに基づく複数のスポット光の照射領域ＳＬの配置（つまり、光スキャナ４０による光の偏向パターン、ないし光スキャナ４０のミラースキャナの光反射面の向きの変更の流れ）に対応する複数の画素の配置を示す。
【００３４】
（電源部１１０）
電源部１１０は、商用電源や自家発電設備、バッテリなどから入力される電力に基づいて、走査型レーザ検眼鏡１の各部に電力を供給する。制御部１００は、電源部１１０を制御することにより、電力供給モードの切り替えを行う。電力供給モードとしては、通常モード、省電力モード、休止モードなどがある。
【００３５】
（光源制御部１２０）
光源制御部１２０は、制御部１００による制御の下に光源１１を制御する。光源１１の制御は、たとえば電源部１１０から供給される電力を制御することにより行われる。また、複数の光源が設けられている場合、光源制御部１２０は、制御部１００による制御の下に、複数の光源に対して選択的に電力を供給する。それにより、複数の光源が選択的に使用される。光源制御部１２０は、たとえばマイクロプロセッサおよび記憶装置を含んで構成される。また、光源制御部１２０は、専用のハードウェアを含んで構成されてもよい。
【００３６】
（画像形成部１３０）
画像形成部１３０は、受光素子７４から入力される受光信号と、制御部１００から入力される画素位置信号とに基づいて、画像データを形成する。この画像データは、眼底Ｅｆの正面画像に相当する。
【００３７】
画像形成部１３０は、たとえばマイクロプロセッサおよび記憶装置を含んで構成される。記憶装置には、画像形成用プログラムがあらかじめ格納される。マイクロプロセッサが画像形成用プログラムにしたがって動作することによって画像形成処理の少なくとも一部が実行される。また、光源制御部１２０は、専用のハードウェアを含んで構成されてもよい。
【００３８】
画像形成部１３０は、Ａ／Ｄ変換部１３１と、眼底像形成部１３２と、メモリ部１３３とを含む。Ａ／Ｄ変換部１３１は、受光素子７４から入力される受光信号（アナログ信号）をデジタル信号に変換する。
【００３９】
眼底像形成部１３２は、Ａ／Ｄ変換部１３１から入力されるデジタル信号と、制御部１００から入力される画素位置信号とに基づいて、眼底Ｅｆの正面画像の画像データを形成する。この画像データ形成処理は、スポット光の各照射位置ＳＬに対応するデジタル信号に基づく情報（輝度などの画素値）と、その照射位置ＳＬに対応する画素位置とを関連付ける処理を含む。
【００４０】
メモリ部１３３は、画像形成部１３０の内部メモリとして機能し、眼底像形成部１３２により形成された画像データを一時的に記憶する。なお、メモリ部１３３の適用は任意である。画像形成部１３０により形成された画像データは、制御部１００に送られる。
【００４１】
（データ処理部１４０）
データ処理部１４０は、各種のデータ処理を実行する。データ処理の例として、画像形成部１３０または他の装置により形成された画像データに対する処理がある。この処理の例として、各種の画像処理や、画像データに基づく画像評価などの診断支援処理がある。
【００４２】
データ処理部１４０は、走査型レーザ検眼鏡１の一部であってもよいし、外部装置であってもよい。前者の場合、データ処理部１４０は、たとえばマイクロプロセッサおよび記憶装置を含んで構成される。記憶装置には、１つ以上のデータ処理用プログラムがあらかじめ格納される。マイクロプロセッサがデータ処理用プログラムにしたがって動作することによってデータ処理が実行される。また、データ処理部１４０は、専用のハードウェアを含んで構成されてもよい。
【００４３】
後者の場合、データ処理部１４０は、コンピュータを含んで構成される。このコンピュータの例として、パーソナルコンピュータ、スマートフォン、タブレット端末、携帯情報端末（ＰＤＡ）、サーバなどがある。制御部１００は、このコンピュータと通信するためのインターフェイスを有する。コンピュータが表示機能を有する場合、外部装置としてのデータ処理部１４０は、制御部１００から送信された情報に基づく表示処理を実行する。この表示処理の対象の例として、画像データに基づく画像、撮影日時情報、撮影条件（スキャン条件、光源１１の種別、撮影光量など）がある。また、コンピュータがデータベース機能を有する場合、データ処理部１４０は、制御部１００から送信された情報の保管処理を実行する。データ処理部１４０による処理結果を走査型レーザ検眼鏡１（制御部１００）や他の装置に送信することができる。
【００４４】
なお、前者の場合においても後者の場合においても、データ処理部１４０の機能は上記に限定されるものではない。
【００４５】
（ユーザインターフェイス１５０）
ユーザインターフェイス１５０は、表示機能と、操作・入力機能とを有する。表示機能は、液晶ディスプレイ（ＬＣＤ）等の表示デバイスにより実現される。表示デバイスは、制御部１００による制御の下に情報を表示する。
【００４６】
操作・入力機能は、操作デバイスや入力デバイスにより実現される。これらの例として、ボタン、レバー、ノブ、マウス、キーボード、トラックボールなどがある。また、制御部１００が表示デバイスにグラフィカルユーザーインターフェース（ＧＵＩ）を表示させる構成としてもよい。この表示デバイスはタッチスクリーンであってよい。
【００４７】
〈第１の構成例〉
この実施形態の第１の構成例について、図３および図４を参照して説明する。本例では、光源部１０および受光部７０として、図３に示す構成が適用される。すなわち、光源部１０には、光学素子１３として偏光子１３ａと波長板１３ｂとが設けられる。さらに、受光部７０には、光学素子７１として波長板７１ａと偏光子７１ｂとが設けられる。
【００４８】
なお、本例に係る計測を行うときには、対物レンズ６０と被検眼Ｅとの間の位置に配置可能な四分の一波長板などの偏光制御素子（前述）は、光路から退避される。
【００４９】
偏光子１３ａおよび波長板１３ｂは、光源１１から出力されたレーザ光Ｌ０の偏光特性を、第１回転方向の円偏光に変換する偏光特性変換素子として機能する。ここで、円偏光の回転方向は、レーザ光Ｌ０の進行方向に対して定義される。つまり、円偏光の回転方向は、レーザ光Ｌ０の進行方向側の視点から見たときの回転方向として、または、レーザ光Ｌ０の進行方向とは反対側の視点から見たときの回転方向として、定義される。前者は、レーザ光Ｌ０が進む先の視点から見たときの回転方向、あるいはレーザ光Ｌ０の進行を示すベクトルの終点側の視点から見たときの回転方向とも言える。後者は、レーザ光Ｌ０の進行を示すベクトルの始点側の視点から見たときの回転方向とも言える。いずれにしても、この構成例において、円偏光の回転方向の定義は一貫して使用されるものとする。これは、他の例においても同様である。
【００５０】
偏光子１３ａは、たとえば偏光板、偏光ビームスプリッタ、グラントムソン偏光プリズムなどからなり、光源１１から出力されたレーザ光Ｌ０の偏光特性を、第１方向の直線偏光に変換する。この第１方向は、たとえば垂直方向または水平方向である。
【００５１】
波長板１３ｂは、たとえば四分の一波長板、フレネルロムなどからなり、偏光子１３ａを通過したレーザ光Ｌ０の偏光特性を、第１方向の直線偏光から第１回転方向の円偏光に変換する。直線偏光の第１方向と円偏光の第１回転方向とは互いに対応している。つまり、波長板１３ｂは、第１方向の直線偏光のレーザ光Ｌ０を、あらかじめ決められた回転方向（第１回転方向）の円偏光に変換する。たとえば、第１方向が垂直方向である場合には第１回転方向は右回りとなり、第１方向が水平方向である場合には第１回転方向は左回りとなる。本例では、このようにして得られた円偏光のレーザ光Ｌ０（レーザ光Ｌ）が被検眼Ｅに照射される。
【００５２】
被検眼Ｅからの戻り光ＲＬには、前述のように眼底戻り光と前眼部戻り光とが含まれる。また、被検眼Ｅからの戻り光には、第１回転方向の円偏光成分と、それとは逆の第２回転方向の円偏光成分とが含まれる。第１回転方向の円偏光成分には、眼底Ｅｆによる散乱光や蛍光が含まれる。第２回転方向の円偏光成分には、角膜による正反射光、眼底Ｅｆによる正反射光、眼底Ｅｆによる散乱光や蛍光、レンズ（リレーレンズ５０等）による正反射光などが含まれる。なお、眼底Ｅｆによる散乱光や蛍光は、眼底Ｅｆの偏光特性により、第１回転方向の円偏光成分と第２回転方向の円偏光成分の双方を含んでいる。
【００５３】
波長板７１ａおよび偏光子７１ｂは、被検眼Ｅからの戻り光ＲＬのうち、第１回転方向に対応する第１方向の直線偏光成分を選択的に通過させる偏光成分選択素子として機能する。第１回転方向と第１方向との対応関係は上記の通りである。
【００５４】
波長板７１ａは、たとえば四分の一波長板、フレネルロムなどからなり、戻り光ＲＬに含まれる第１回転方向の円偏光成分を第１方向の直線偏光成分に変換する。さらに、波長板７１ａは、戻り光ＲＬに含まれる第２回転方向の円偏光成分を、第１方向に直交する第２方向の直線偏光成分に変換する。一例として、第１方向が垂直方向である場合、第１回転方向は右回りであり、第２回転方向は左回りであり、第２方向は水平方向である。逆に、第１方向が水平方向である場合、第１回転方向は左回りであり、第２回転方向は右回りであり、第２方向は垂直方向である。
【００５５】
偏光子７１ｂは、たとえば偏光板、偏光ビームスプリッタ、グラントムソン偏光プリズムなどからなり、波長板７１ａにより得られた第１方向の直線偏光成分および第２方向の直線偏光のうち、第１方向の直線偏光成分を選択的に通過させる。つまり、偏光子７１ｂは、第２方向の直線偏光成分を選択的に遮断する。
【００５６】
このような構成を有する本例における光の偏光状態の変化の例を図４に示す。光源１１から出力されたレーザ光Ｌ０は、偏光子１３ａにより垂直方向の直線偏光のレーザ光Ｌ０に変換され、さらに波長板１３ｂにより右回りの円偏光のレーザ光Ｌ０に変換される。この右回りの円偏光のレーザ光Ｌ０（レーザ光Ｌ）が被検眼Ｅに照射される。
【００５７】
前述したように、被検眼Ｅからの戻り光ＲＬには、照射されたレーザ光Ｌ０と同じ右回りの円偏光成分と、それとは逆の左回りの円偏光成分とが含まれる。受光部７０に入射した戻り光ＲＬは波長板７１ａに入射する。右回りの円偏光成分（眼底Ｅｆによる散乱光や蛍光）は、波長板７１ａにより、垂直方向の直線偏光成分に変換される。また、左回りの円偏光成分（角膜による正反射光、眼底Ｅｆによる正反射光、眼底Ｅｆによる散乱光や蛍光、レンズによる正反射光）は、波長板７１ａにより、水平方向の直線偏光成分に変換される。
【００５８】
波長板７１ａにより生成された垂直方向の直線偏光成分は、偏光子７１ｂを通過して受光素子７４に到達する。一方、波長板７１ａにより生成された水平方向の直線偏光成分は、偏光子７１ｂにより遮断され、受光素子７４に到達しない。つまり、受光部７０は、戻り光ＲＬに基づく垂直方向の直線偏光成分を選択的に受光するように構成されている。垂直方向の直線偏光成分は、右回りの円偏光成分に基づくものであるから、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、偏光子７１ｂにより遮断された水平方向の直線偏光成分は、左回りの円偏光成分に基づくものであるから、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【００５９】
〈第２の構成例〉
この実施形態の第２の構成例について、図５および図６を参照して説明する。本例は、第１の構成例における波長板１３ｂおよび波長板７１ａを同一の部材で構成したものである。
【００６０】
図５に示すように、本例においては、ビームスプリッタ３０と光スキャナ４０との間に波長板８０が設けられている。なお、波長板８０の配置はこれに限定されるものではなく、ビームスプリッタ３０と被検眼Ｅとの間であればよい。また、前述した対物レンズ６０と被検眼Ｅとの間に配置される四分の一波長板を波長板８０として用いることも可能である。また、波長板８０としてフレネルロムなどを用いることも可能である。
【００６１】
また、光源部１０には光学素子１３として偏光子（同じく符号１３で示す）が設けられ、受光部７０には光学素子７１として偏光子（同じく符号７１で示す）とが設けられる。
【００６２】
偏光子１３および波長板８０は、光源１１から出力されたレーザ光Ｌ０の偏光特性を、第１回転方向の円偏光に変換する偏光特性変換素子として機能する。偏光子１３は、たとえば偏光板、偏光ビームスプリッタ、グラントムソン偏光プリズムなどからなり、光源１１から出力されたレーザ光Ｌ０の偏光特性を、第１方向の直線偏光に変換する。波長板８０は、偏光子１３を通過したレーザ光Ｌ０の偏光特性を、第１方向の直線偏光から第１回転方向の円偏光に変換する。このようにして得られた円偏光のレーザ光Ｌ０（レーザ光Ｌ）が被検眼Ｅに照射される。
【００６３】
波長板８０および偏光子７１は、被検眼Ｅからの戻り光ＲＬのうち、第１回転方向に対応する第１方向の直線偏光成分を選択的に通過させる偏光成分選択素子として機能する。波長板８０は、戻り光ＲＬに含まれる第１回転方向の円偏光成分を第１方向の直線偏光成分に変換する。さらに、波長板８０は、戻り光ＲＬに含まれる第２回転方向の円偏光成分を、第１方向に直交する第２方向の直線偏光成分に変換する。偏光子７１は、たとえば偏光板、偏光ビームスプリッタ、グラントムソン偏光プリズムなどからなり、波長板８０により得られた第１方向の直線偏光成分および第２方向の直線偏光のうち、第１方向の直線偏光成分を選択的に通過させる。つまり、偏光子７１は、第２方向の直線偏光成分を選択的に遮断する。
【００６４】
このような構成を有する本例における光の偏光状態の変化の例を図４に示す。光源１１から出力されたレーザ光Ｌ０は、偏光子１３により垂直方向の直線偏光のレーザ光Ｌ０に変換され、さらに波長板８０により右回りの円偏光のレーザ光Ｌ０に変換される。この右回りの円偏光のレーザ光Ｌ０（レーザ光Ｌ）が被検眼Ｅに照射される。
【００６５】
前述したように、被検眼Ｅからの戻り光ＲＬには、照射されたレーザ光Ｌ０と同じ右回りの円偏光成分と、それとは逆の左回りの円偏光成分とが含まれる。右回りの円偏光成分（眼底Ｅｆによる散乱光や蛍光）は、波長板８０により、垂直方向の直線偏光成分に変換される。また、左回りの円偏光成分（角膜による正反射光、眼底Ｅｆによる正反射光、眼底Ｅｆによる散乱光や蛍光、レンズによる正反射光）は、波長板８０により、水平方向の直線偏光成分に変換される。これら直線偏光成分が受光部７０に入射する。
【００６６】
波長板８０により生成された垂直方向の直線偏光成分は、偏光子７１を通過して受光素子７４に到達する。一方、波長板８０により生成された水平方向の直線偏光成分は、偏光子７１により遮断され、受光素子７４に到達しない。よって、受光素子７４から出力される受光信号は、レーザ光Ｌのスポット光の照射領域ＳＬ（図２を参照）に関する情報を含み、且つ、角膜による正反射光やレンズによる正反射光に関する情報を実質的に含まない。したがって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【００６７】
〈第３の構成例〉
この実施形態の第３の構成例について、図７および図８を参照して説明する。本例は、第１の構成例における波長板１３ｂおよび波長板７１ａを同一の部材（波長板８０）で構成し、且つ、偏光子１３ａおよび偏光子７１ｂを同一の部材（偏光子９０）で構成したものである。
【００６８】
図７に示すように、本例においては、ビームスプリッタ３０と光スキャナ４０との間に、ビームスプリッタ３０側から順に偏光子９０と波長板８０とが設けられている。なお、偏光子９０および波長板８０の配置はこれに限定されるものではなく、ビームスプリッタ３０と被検眼Ｅとの間であればよい。ただし、偏光子９０は、波長板８０に対して光源部１０側且つ受光部７０側に配置される。
【００６９】
前述した対物レンズ６０と被検眼Ｅとの間に配置される四分の一波長板を波長板８０として用いることも可能である。また、波長板８０としてフレネルロムなどを用いることも可能である。また、偏光子９０は、たとえば偏光板、偏光ビームスプリッタ、グラントムソン偏光プリズムなどからなる。
【００７０】
光源部１０には任意の光学素子１３が設けられ、受光部７０には任意の光学素子７１が設けられる。
【００７１】
偏光子９０および波長板８０は、光源１１から出力されたレーザ光Ｌ０の偏光特性を、第１回転方向の円偏光に変換する偏光特性変換素子として機能する。偏光子９０は、光源１１から出力されたレーザ光Ｌ０の偏光特性を、第１方向の直線偏光に変換する。波長板８０は、偏光子１３を通過したレーザ光Ｌ０の偏光特性を、第１方向の直線偏光から第１回転方向の円偏光に変換する。このようにして得られた円偏光のレーザ光Ｌ０（レーザ光Ｌ）が被検眼Ｅに照射される。
【００７２】
波長板８０および偏光子９０は、被検眼Ｅからの戻り光ＲＬのうち、第１回転方向に対応する第１方向の直線偏光成分を選択的に通過させる偏光成分選択素子として機能する。波長板８０は、戻り光ＲＬに含まれる第１回転方向の円偏光成分を第１方向の直線偏光成分に変換する。さらに、波長板８０は、戻り光ＲＬに含まれる第２回転方向の円偏光成分を、第１方向に直交する第２方向の直線偏光成分に変換する。偏光子９０は、波長板８０により得られた第１方向の直線偏光成分および第２方向の直線偏光のうち、第１方向の直線偏光成分を選択的に通過させる。つまり、偏光子９０は、第２方向の直線偏光成分を選択的に遮断する。
【００７３】
このような構成を有する本例における光の偏光状態の変化の例を図８に示す。光源１１から出力されたレーザ光Ｌ０は、偏光子９０により垂直方向の直線偏光のレーザ光Ｌ０に変換され、さらに波長板８０により右回りの円偏光のレーザ光Ｌ０に変換される。この右回りの円偏光のレーザ光Ｌ０（レーザ光Ｌ）が被検眼Ｅに照射される。
【００７４】
前述したように、被検眼Ｅからの戻り光ＲＬには、照射されたレーザ光Ｌ０と同じ右回りの円偏光成分と、それとは逆の左回りの円偏光成分とが含まれる。右回りの円偏光成分（眼底Ｅｆによる散乱光や蛍光）は、波長板８０により、垂直方向の直線偏光成分に変換される。また、左回りの円偏光成分（角膜による正反射光、眼底Ｅｆによる正反射光、眼底Ｅｆによる散乱光や蛍光、レンズによる正反射光）は、波長板８０により、水平方向の直線偏光成分に変換される。
【００７５】
波長板８０により生成された垂直方向の直線偏光成分は、偏光子９０を通過し、受光部７０に入射して受光素子７４に到達する。一方、波長板８０により生成された水平方向の直線偏光成分は、偏光子９０により遮断され、受光部７０に入射しない。よって、受光素子７４から出力される受光信号は、レーザ光Ｌのスポット光の照射領域ＳＬ（図２を参照）に関する情報を含み、且つ、角膜による正反射光やレンズによる正反射光に関する情報を実質的に含まない。したがって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【００７６】
〈第４の構成例〉
この実施形態の第４の構成例について、図９および図１０を参照して説明する。本例において、光源１１は、第１方向の直線偏光のレーザ光Ｌ０を出力する。光源部１０および受光部７０は、図９に示す構成を有する。
【００７７】
光源部１０には、光学素子１３として、光源１１から出力された第１方向の直線偏光のレーザ光Ｌ０の偏光特性を第１回転方向の円偏光に変換する波長板が設けられる。この波長板１３は、偏光特性変換素子および第１波長板として機能する。波長板１３は、たとえば四分の一波長板、フレネルロムなどからなる。
【００７８】
受光部７０には、第１の構成例と同様に、光学素子７１として波長板７１ａと偏光子７１ｂとが設けられる。波長板７１ａおよび偏光子７１ｂは、円偏光のレーザ光Ｌの被検眼Ｅからの戻り光ＲＬのうち、第１回転方向に対応する第１方向の直線偏光成分を選択的に通過させる偏光成分選択素子として機能する。
【００７９】
波長板７１ａは、被検眼Ｅからの戻り光ＲＬに含まれる第１回転方向の円偏光成分を第１方向の直線偏光成分に変換し、且つ、第１回転方向とは逆の第２回転方向の円偏光成分を、第１方向に直交する第２方向の直線偏光成分に変換する。波長板７１ａは第２波長板として機能する。波長板７１ａは、たとえば四分の一波長板、フレネルロムなどからなる。
【００８０】
偏光子７１ｂは、波長板７１ａにより得られた第１方向の直線偏光成分および第２方向の直線偏光のうち、第１方向の直線偏光成分を選択的に通過させる。偏光子７１ｂは、たとえば偏光板、偏光ビームスプリッタ、グラントムソン偏光プリズムなどからなる。
【００８１】
本例における光の偏光状態の変化の例を図１０に示す。光源１１は、第１方向（垂直方向とする）の直線偏光のレーザ光Ｌ０を出力する。このレーザ光Ｌ０は、波長板１３ｂにより、右回りの円偏光のレーザ光Ｌ０に変換される。この右回りの円偏光のレーザ光Ｌ０（レーザ光Ｌ）が被検眼Ｅに照射される。
【００８２】
前述したように、被検眼Ｅからの戻り光ＲＬには、照射されたレーザ光Ｌ０と同じ右回りの円偏光成分と、それとは逆の左回りの円偏光成分とが含まれる。受光部７０に入射した戻り光ＲＬは波長板７１ａに入射する。右回りの円偏光成分（眼底Ｅｆによる散乱光や蛍光）は、波長板７１ａにより、垂直方向の直線偏光成分に変換される。また、左回りの円偏光成分（角膜による正反射光、眼底Ｅｆによる正反射光、眼底Ｅｆによる散乱光や蛍光、レンズによる正反射光）は、波長板７１ａにより、水平方向の直線偏光成分に変換される。
【００８３】
波長板７１ａにより生成された垂直方向の直線偏光成分は、偏光子７１ｂを通過して受光素子７４に到達する。一方、波長板７１ａにより生成された水平方向の直線偏光成分は、偏光子７１ｂにより遮断され、受光素子７４に到達しない。よって、受光素子７４から出力される受光信号は、レーザ光Ｌのスポット光の照射領域ＳＬ（図２を参照）に関する情報を含み、且つ、角膜による正反射光やレンズによる正反射光に関する情報を実質的に含まない。したがって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【００８４】
本例の変形として、第２の構成例と同様に、波長板１３および波長板７１ａを同一の部材で構成することが可能である。
【００８５】
〈第５の構成例〉
この実施形態の第５の構成例について、図１１および図１２を参照して説明する。本例において、光源１１は、進行方向に対して第１回転方向の円偏光のレーザ光Ｌ０を出力する。光源部１０および受光部７０は、図１１に示す構成を有する。光源部１０には、偏光制御用の光学素子１３を設ける必要はない。
【００８６】
受光部７０には、第４の構成例と同様の波長板７１ａおよび偏光子７１ｂが光学素子７１として設けられる。波長板７１ａおよび偏光子７１ｂは、円偏光のレーザ光Ｌの被検眼Ｅからの戻り光ＲＬのうち、第１回転方向に対応する第１方向の直線偏光成分を選択的に通過させる偏光成分選択素子として機能する。波長板７１ａは、被検眼Ｅからの戻り光ＲＬに含まれる第１回転方向の円偏光成分を第１方向の直線偏光成分に変換し、且つ、第１回転方向とは逆の第２回転方向の円偏光成分を、第１方向に直交する第２方向の直線偏光成分に変換する。波長板７１ａは、第２波長板として機能し、たとえば四分の一波長板、フレネルロムなどからなる。偏光子７１ｂは、波長板７１ａにより得られた第１方向の直線偏光成分および第２方向の直線偏光のうち、第１方向の直線偏光成分を選択的に通過させる。偏光子７１ｂは、たとえば偏光板、偏光ビームスプリッタ、グラントムソン偏光プリズムなどからなる。
【００８７】
本例における光の偏光状態の変化の例を図１２に示す。光源１１は、進行方向に対して第１回転方向（右回りとする）の円偏光のレーザ光Ｌ０を出力する。この右回りの円偏光のレーザ光Ｌ０と同じ偏光特性のレーザ光Ｌが被検眼Ｅに照射される。
【００８８】
受光部７０に入射した戻り光ＲＬは波長板７１ａに入射する。右回りの円偏光成分（眼底Ｅｆによる散乱光や蛍光）は、波長板７１ａにより、垂直方向の直線偏光成分に変換される。また、左回りの円偏光成分（角膜による正反射光、眼底Ｅｆによる正反射光、眼底Ｅｆによる散乱光や蛍光、レンズによる正反射光）は、波長板７１ａにより、水平方向の直線偏光成分に変換される。
【００８９】
波長板７１ａにより生成された垂直方向の直線偏光成分は、偏光子７１ｂを通過して受光素子７４に到達する。一方、波長板７１ａにより生成された水平方向の直線偏光成分は、偏光子７１ｂにより遮断され、受光素子７４に到達しない。よって、受光素子７４から出力される受光信号は、レーザ光Ｌのスポット光の照射領域ＳＬ（図２を参照）に関する情報を含み、且つ、角膜による正反射光やレンズによる正反射光に関する情報を実質的に含まない。したがって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【００９０】
〈第６の構成例〉
この実施形態の第６の構成例について、図１３および図１４を参照して説明する。本例では、光源部１０および受光部７０として、図１３に示す構成が適用される。光源部１０には、光学素子１３として偏光子１３ｃと第１偏光制御素子１３ｄとが設けられる。さらに、受光部７０には、光学素子７１として第２偏光制御素子７１ｃが設けられる。なお、本例に係る計測を行うときには、対物レンズ６０と被検眼Ｅとの間の位置に配置可能な四分の一波長板などの偏光制御素子（前述）は、光路から退避される。
【００９１】
偏光子１３ｃおよび第１偏光制御素子１３ｄは、光源１１から出力されたレーザ光Ｌ０の偏光特性をラジアル偏光に変換する偏光特性変換素子として機能する。ラジアル偏光とは、放射方向に偏光している偏光状態を示す。なお、この発明におけるラジアル偏光には、完全なラジアル偏光だけでなく、ビーム擬似ラジアル偏光も含まれるものとする。擬似ラジアル偏光とは、ビームの断面の複数の領域のそれぞれにおける偏光の向きが、中心からラジアル方向の直線偏光となっている偏光状態を示す。
【００９２】
偏光子１３ｃは、たとえば偏光板、偏光ビームスプリッタ、グラントムソン偏光プリズムなどからなり、光源１１から出力されたレーザ光Ｌ０の偏光特性を直線偏光に変換する。
【００９３】
第１偏光制御素子１３ｄとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。第１偏光制御素子１３ｄは、偏光子１３ｃを通過したレーザ光の偏光特性を、直線偏光からラジアル偏光に変換する。本例では、このようにして得られたラジアル偏光のレーザ光Ｌ０（レーザ光Ｌ）が被検眼Ｅに照射される。
【００９４】
被検眼Ｅからの戻り光ＲＬには、前述のように眼底戻り光と前眼部戻り光とが含まれる。また、被検眼Ｅからの戻り光には、ラジアル偏光成分と、アジマス偏光成分とが含まれる。ラジアル偏光成分には、角膜による正反射光、眼底Ｅｆによる正反射光、眼底Ｅｆによる散乱光や蛍光、レンズ（リレーレンズ５０等）による正反射光などが含まれる。アジマス偏光成分には、眼底Ｅｆによる散乱光や蛍光が含まれる。ここで、眼底Ｅｆによる散乱光や蛍光は、眼底Ｅｆの偏光特性により、ラジアル偏光成分とアジマス偏光成分の双方を含んでいる。なお、アジマス偏光とは、ラジアル偏光に直交する偏光方向であり、アジマス方向（回転方向）に偏光している偏光状態を示す。なお、この発明におけるアジマス偏光には、完全なアジマス偏光だけでなく、ビーム擬似アジマス偏光も含まれるものとする。擬似アジマス偏光とは、ビームの断面の複数の領域のそれぞれにおける偏光の向きが、径方向に対して直交する方向の直線偏光となっている偏光状態を示す。
【００９５】
第２偏光制御素子７１ｃは、被検眼Ｅからの戻り光ＲＬのうち、アジマス偏光成分を選択的に通過させる偏光成分選択素子として機能する。第２偏光制御素子７１ｃとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。
【００９６】
このような構成を有する本例における光の偏光状態の変化の例を図１４に示す。光源１１から出力されたレーザ光Ｌ０は、偏光子１３ｃにより直線偏光のレーザ光Ｌ０に変換され、さらに第１偏光制御素子１３ｄによりラジアル偏光のレーザ光Ｌ０に変換される。このラジアル偏光のレーザ光Ｌ０（レーザ光Ｌ）が被検眼Ｅに照射される。
【００９７】
前述したように、被検眼Ｅからの戻り光ＲＬには、ラジアル偏光成分と、それに直交するアジマス偏光成分とが含まれる。受光部７０に入射した戻り光ＲＬは第２偏光制御素子７１ｃに入射する。ラジアル偏光成分は、第２偏光制御素子７１ｃにより遮断され、受光素子７４に到達しない。一方、アジマス偏光成分は、第２偏光制御素子７１ｃを通過して受光素子７４に到達する。つまり、受光部７０は、戻り光ＲＬに含まれるアジマス偏光成分を選択的に受光するように構成されている。前述したように、アジマス偏光成分は、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、ラジアル偏光成分は第２偏光制御素子７１ｃにより遮断されるので、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【００９８】
〈第７の構成例〉
この実施形態の第７の構成例について説明する。本例では、第６の構成例とは逆に、アジマス偏光のレーザ光を被検眼に照射し、その戻り光のラジアル偏光成分を受光する場合について説明する。光学系の構成については第６の構成例の図１３を参照する。
【００９９】
光源部１０には、光学素子１３として偏光子１３ｃと第１偏光制御素子１３ｄとが設けられる。さらに、受光部７０には、光学素子７１として第２偏光制御素子７１ｃが設けられる。なお、本例に係る計測を行うときには、対物レンズ６０と被検眼Ｅとの間の位置に配置可能な四分の一波長板などの偏光制御素子（前述）は、光路から退避される。
【０１００】
偏光子１３ｃおよび第１偏光制御素子１３ｄは、光源１１から出力されたレーザ光Ｌ０の偏光特性をアジマス偏光に変換する偏光特性変換素子として機能する。偏光子１３ｃは、たとえば偏光板、偏光ビームスプリッタ、グラントムソン偏光プリズムなどからなり、光源１１から出力されたレーザ光Ｌ０の偏光特性を直線偏光に変換する。第１偏光制御素子１３ｄとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。第１偏光制御素子１３ｄは、偏光子１３ｃを通過したレーザ光の偏光特性を、直線偏光からアジマス偏光に変換する。本例では、このようにして得られたアジマス偏光のレーザ光Ｌ０（レーザ光Ｌ）が被検眼Ｅに照射される。
【０１０１】
被検眼Ｅからの戻り光ＲＬには、前述のように眼底戻り光と前眼部戻り光とが含まれる。また、被検眼Ｅからの戻り光には、ラジアル偏光成分と、アジマス偏光成分とが含まれる。ラジアル偏光成分には、角膜による正反射光、眼底Ｅｆによる正反射光、眼底Ｅｆによる散乱光や蛍光、レンズ（リレーレンズ５０等）による正反射光などが含まれる。アジマス偏光成分には、眼底Ｅｆによる散乱光や蛍光が含まれる。ここで、眼底Ｅｆによる散乱光や蛍光は、眼底Ｅｆの偏光特性により、ラジアル偏光成分とアジマス偏光成分の双方を含んでいる。
【０１０２】
第２偏光制御素子７１ｃは、被検眼Ｅからの戻り光ＲＬのうち、ラジアル偏光成分を選択的に通過させる偏光成分選択素子として機能する。第２偏光制御素子７１ｃとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。
【０１０３】
このような構成を有する本例における光の偏光状態の変化の例を図１５に示す。光源１１から出力されたレーザ光Ｌ０は、偏光子１３ｃにより直線偏光のレーザ光Ｌ０に変換され、さらに第１偏光制御素子１３ｄによりアジマス偏光のレーザ光Ｌ０に変換される。このアジマス偏光のレーザ光Ｌ０（レーザ光Ｌ）が被検眼Ｅに照射される。
【０１０４】
前述したように、被検眼Ｅからの戻り光ＲＬには、ラジアル偏光成分と、それに直交するアジマス偏光成分とが含まれる。受光部７０に入射した戻り光ＲＬは第２偏光制御素子７１ｃに入射する。ラジアル偏光成分は、第２偏光制御素子７１ｃを通過して受光素子７４に到達する。一方、アジマス偏光成分は、第２偏光制御素子７１ｃにより遮断され、受光素子７４に到達しない。つまり、受光部７０は、戻り光ＲＬに含まれるラジアル偏光成分を選択的に受光するように構成されている。前述したように、ラジアル偏光成分は、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、アジマス偏光成分は第２偏光制御素子７１ｃにより遮断されるので、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【０１０５】
〈第８の構成例〉
この実施形態の第８の構成例について、図１６および図１７を参照して説明する。本例において、光源１１は、直線偏光のレーザ光Ｌ０を出力する。光源部１０および受光部７０は、図１６に示す構成を有する。
【０１０６】
光源部１０には、光学素子１３として偏光特性変換素子１３ｄが設けられる。受光部７０には、光学素子７１として偏光成分選択素子７１ｃが設けられる。なお、本例に係る計測を行うときには、対物レンズ６０と被検眼Ｅとの間の位置に配置可能な四分の一波長板などの偏光制御素子（前述）は、光路から退避される。
【０１０７】
偏光特性変換素子１３ｄは、光源１１から出力されたレーザ光Ｌ０の偏光特性を、直線偏光からラジアル偏光に変換する。偏光特性変換素子１３ｄとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。本例では、このようにして得られたラジアル偏光のレーザ光Ｌ０（レーザ光Ｌ）が被検眼Ｅに照射される。
【０１０８】
被検眼Ｅからの戻り光ＲＬには、前述のように眼底戻り光と前眼部戻り光とが含まれる。また、被検眼Ｅからの戻り光には、ラジアル偏光成分と、アジマス偏光成分とが含まれる。ラジアル偏光成分には、角膜による正反射光、眼底Ｅｆによる正反射光、眼底Ｅｆによる散乱光や蛍光、レンズ（リレーレンズ５０等）による正反射光などが含まれる。アジマス偏光成分には、眼底Ｅｆによる散乱光や蛍光が含まれる。ここで、眼底Ｅｆによる散乱光や蛍光は、眼底Ｅｆの偏光特性により、ラジアル偏光成分とアジマス偏光成分の双方を含んでいる。
【０１０９】
偏光成分選択素子７１ｃは、被検眼Ｅからの戻り光ＲＬのうち、アジマス偏光成分を選択的に通過させる。偏光成分選択素子７１ｃとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。
【０１１０】
このような構成を有する本例における光の偏光状態の変化の例を図１７に示す。光源１１から出力された直線偏光のレーザ光Ｌ０は、偏光特性変換素子１３ｄによりラジアル偏光のレーザ光Ｌ０に変換される。このラジアル偏光のレーザ光Ｌ０（レーザ光Ｌ）が被検眼Ｅに照射される。
【０１１１】
前述したように、被検眼Ｅからの戻り光ＲＬには、ラジアル偏光成分と、それに直交するアジマス偏光成分とが含まれる。受光部７０に入射した戻り光ＲＬは偏光成分選択素子７１ｃに入射する。ラジアル偏光成分は、偏光成分選択素子７１ｃにより遮断され、受光素子７４に到達しない。一方、アジマス偏光成分は、偏光成分選択素子７１ｃを通過して受光素子７４に到達する。つまり、受光部７０は、戻り光ＲＬに含まれるアジマス偏光成分を選択的に受光するように構成されている。前述したように、アジマス偏光成分は、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、ラジアル偏光成分は偏光成分選択素子７１ｃにより遮断されるので、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【０１１２】
〈第９の構成例〉
この実施形態の第９の構成例について説明する。本例では、第８の構成例と同様に直線偏光のレーザ光を出力する光源を適用する場合であって、第８の構成例とは逆に、アジマス偏光のレーザ光を被検眼に照射し、その戻り光のラジアル偏光成分を受光する場合について説明する。光学系の構成については第８の構成例の図１６を参照する。
【０１１３】
光源部１０には、光学素子１３として偏光特性変換素子１３ｄが設けられる。受光部７０には、光学素子７１として偏光成分選択素子７１ｃが設けられる。なお、本例に係る計測を行うときには、対物レンズ６０と被検眼Ｅとの間の位置に配置可能な四分の一波長板などの偏光制御素子（前述）は、光路から退避される。
【０１１４】
偏光特性変換素子１３ｄは、光源１１から出力されたレーザ光Ｌ０の偏光特性を、直線偏光からアジマス偏光に変換する。偏光特性変換素子１３ｄとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。本例では、このようにして得られたアジマス偏光のレーザ光Ｌ０（レーザ光Ｌ）が被検眼Ｅに照射される。
【０１１５】
被検眼Ｅからの戻り光ＲＬには、前述のように眼底戻り光と前眼部戻り光とが含まれる。また、被検眼Ｅからの戻り光には、ラジアル偏光成分と、アジマス偏光成分とが含まれる。ラジアル偏光成分には、角膜による正反射光、眼底Ｅｆによる正反射光、眼底Ｅｆによる散乱光や蛍光、レンズ（リレーレンズ５０等）による正反射光などが含まれる。アジマス偏光成分には、眼底Ｅｆによる散乱光や蛍光が含まれる。ここで、眼底Ｅｆによる散乱光や蛍光は、眼底Ｅｆの偏光特性により、ラジアル偏光成分とアジマス偏光成分の双方を含んでいる。
【０１１６】
偏光成分選択素子７１ｃは、被検眼Ｅからの戻り光ＲＬのうち、ラジアル偏光成分を選択的に通過させる偏光成分選択素子として機能する。偏光成分選択素子７１ｃとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。
【０１１７】
このような構成を有する本例における光の偏光状態の変化の例を図１８に示す。光源１１から出力された直線偏光のレーザ光Ｌ０は、偏光特性変換素子１３ｄによりアジマス偏光のレーザ光Ｌ０に変換される。このアジマス偏光のレーザ光Ｌ０（レーザ光Ｌ）が被検眼Ｅに照射される。
【０１１８】
前述したように、被検眼Ｅからの戻り光ＲＬには、ラジアル偏光成分と、それに直交するアジマス偏光成分とが含まれる。受光部７０に入射した戻り光ＲＬは偏光成分選択素子７１ｃに入射する。ラジアル偏光成分は、偏光成分選択素子７１ｃを通過して受光素子７４に到達する。一方、アジマス偏光成分は、偏光成分選択素子７１ｃにより遮断され、受光素子７４に到達しない。つまり、受光部７０は、戻り光ＲＬに含まれるラジアル偏光成分を選択的に受光するように構成されている。前述したように、ラジアル偏光成分は、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、アジマス偏光成分は偏光成分選択素子７１ｃにより遮断されるので、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【０１１９】
〈第１０の構成例〉
この実施形態の第１０の構成例について、図１９および図２０を参照して説明する。本例において、光源１１は、ラジアル偏光のレーザ光Ｌ０を出力する。光源部１０および受光部７０は、図１９に示す構成を有する。光源部１０には、偏光制御用の光学素子１３を設ける必要はない。また、受光部７０は、偏光成分選択素子７１ｃを含む。なお、本例に係る計測を行うときには、対物レンズ６０と被検眼Ｅとの間の位置に配置可能な四分の一波長板などの偏光制御素子（前述）は、光路から退避される。本例では、ラジアル偏光のレーザ光Ｌ０（レーザ光Ｌ）が被検眼Ｅに照射される。
【０１２０】
被検眼Ｅからの戻り光ＲＬには、前述のように眼底戻り光と前眼部戻り光とが含まれる。また、被検眼Ｅからの戻り光には、ラジアル偏光成分と、アジマス偏光成分とが含まれる。ラジアル偏光成分には、角膜による正反射光、眼底Ｅｆによる正反射光、眼底Ｅｆによる散乱光や蛍光、レンズ（リレーレンズ５０等）による正反射光などが含まれる。アジマス偏光成分には、眼底Ｅｆによる散乱光や蛍光が含まれる。ここで、眼底Ｅｆによる散乱光や蛍光は、眼底Ｅｆの偏光特性により、ラジアル偏光成分とアジマス偏光成分の双方を含んでいる。
【０１２１】
偏光成分選択素子７１ｃは、被検眼Ｅからの戻り光ＲＬのうち、アジマス偏光成分を選択的に通過させる。偏光成分選択素子７１ｃとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。
【０１２２】
このような構成を有する本例における光の偏光状態の変化の例を図２０に示す。光源１１から出力されたラジアル偏光のレーザ光Ｌ０は、光スキャナ４０等を経由し、レーザ光Ｌとして被検眼Ｅに照射される。
【０１２３】
前述したように、被検眼Ｅからの戻り光ＲＬには、ラジアル偏光成分と、それに直交するアジマス偏光成分とが含まれる。受光部７０に入射した戻り光ＲＬは偏光成分選択素子７１ｃに入射する。ラジアル偏光成分は、偏光成分選択素子７１ｃにより遮断され、受光素子７４に到達しない。一方、アジマス偏光成分は、偏光成分選択素子７１ｃを通過して受光素子７４に到達する。つまり、受光部７０は、戻り光ＲＬに含まれるアジマス偏光成分を選択的に受光するように構成されている。前述したように、アジマス偏光成分は、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、ラジアル偏光成分は偏光成分選択素子７１ｃにより遮断されるので、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【０１２４】
〈第１１の構成例〉
この実施形態の第１１の構成例について説明する。本例では、第１０の構成例とは逆に、アジマス偏光のレーザ光を出力する光源を適用し、このアジマス偏光のレーザ光を被検眼に照射し、その戻り光のラジアル偏光成分を受光する場合について説明する。光学系の構成については第１０の構成例の図１９を参照する。光源部１０および受光部７０は、図１９に示す構成を有する。光源部１０には、偏光制御用の光学素子１３を設ける必要はない。また、受光部７０は、偏光成分選択素子７１ｃを含む。なお、本例に係る計測を行うときには、対物レンズ６０と被検眼Ｅとの間の位置に配置可能な四分の一波長板などの偏光制御素子（前述）は、光路から退避される。本例では、アジマス偏光のレーザ光Ｌ０（レーザ光Ｌ）が被検眼Ｅに照射される。
【０１２５】
被検眼Ｅからの戻り光ＲＬには、前述のように眼底戻り光と前眼部戻り光とが含まれる。また、被検眼Ｅからの戻り光には、ラジアル偏光成分と、アジマス偏光成分とが含まれる。ラジアル偏光成分には、角膜による正反射光、眼底Ｅｆによる正反射光、眼底Ｅｆによる散乱光や蛍光、レンズ（リレーレンズ５０等）による正反射光などが含まれる。アジマス偏光成分には、眼底Ｅｆによる散乱光や蛍光が含まれる。ここで、眼底Ｅｆによる散乱光や蛍光は、眼底Ｅｆの偏光特性により、ラジアル偏光成分とアジマス偏光成分の双方を含んでいる。
【０１２６】
偏光成分選択素子７１ｃは、被検眼Ｅからの戻り光ＲＬのうち、ラジアル偏光成分を選択的に通過させる。偏光成分選択素子７１ｃとしては、水晶などの異方性光学結晶から作成された複数の波長板（位相板）を貼り合わせてなる光学素子、複数の直線偏光素子（偏光子）を貼り合わせるなる光学素子、フォトニック結晶素子、液晶を利用した光学素子などを用いることが可能である。
【０１２７】
このような構成を有する本例における光の偏光状態の変化の例を図２１に示す。光源１１から出力されたアジマス偏光のレーザ光Ｌ０は、光スキャナ４０等を経由し、レーザ光Ｌとして被検眼Ｅに照射される。
【０１２８】
前述したように、被検眼Ｅからの戻り光ＲＬには、ラジアル偏光成分と、それに直交するアジマス偏光成分とが含まれる。受光部７０に入射した戻り光ＲＬは偏光成分選択素子７１ｃに入射する。ラジアル偏光成分は、偏光成分選択素子７１ｃを通過して受光素子７４に到達する。一方、アジマス偏光成分は、偏光成分選択素子７１ｃにより遮断され、受光素子７４に到達しない。つまり、受光部７０は、戻り光ＲＬに含まれるラジアル偏光成分を選択的に受光するように構成されている。前述したように、ラジアル偏光成分は、眼底Ｅｆによる散乱光や蛍光に関する情報を含んでいる。つまり、受光素子７４から出力される受光信号には、レーザ光Ｌのスポット光の照射領域ＳＬ（図２を参照）に関する情報が含まれている。これに対し、アジマス偏光成分は偏光成分選択素子７１ｃにより遮断されるので、受光素子７４から出力される受光信号は、角膜による正反射光やレンズによる正反射光に関する情報を実質的に含まない。よって、受光信号に基づき画像形成部１３０により形成される眼底Ｅｆの正面画像の画像データは、角膜による正反射光やレンズによる正反射光に関する情報を実質的に含まない。つまり、角膜やレンズによる正反射光に起因するゴースト光を含まない正面画像が得られる。
【０１２９】
〈作用・効果〉
実施形態に係る走査型レーザ検眼鏡の作用および効果について説明する。なお、実施形態において、光源（１１）は、走査型レーザ検眼鏡（１）の一部であってもよいし、走査型レーザ検眼鏡（１）の外部装置であってもよい。
【０１３０】
走査型レーザ検眼鏡（１）は、光学系と、画像形成部（１３０）とを有する。光学系は、被検眼（Ｅ）にレーザ光（Ｌ）を照射することで眼底（Ｅｆ）をスキャンし、レーザ光（Ｌ）の被検眼（Ｅ）からの戻り光（ＲＬ）を検出する。画像形成部（１３０）は、戻り光（ＲＬ）の検出結果に基づいて眼底（Ｅｆ）の正面画像を形成する。
【０１３１】
光学系は、光学素子群（１３、７１）と、受光素子（７４）とを有する。光学素子群（１３、７１）は、レーザ光（Ｌ）の眼底（Ｅｆ）からの戻り光（ＲＬ）のうち、前眼部からの戻り光と実質的に異なる偏光成分を選択的に通過させる。受光素子（７４）は、光学素子群を通過した偏光成分を検出して電気信号を出力する。画像形成部（１３０）は、受光素子（７４）から出力された電気信号に基づいて、眼底（Ｅｆ）の正面画像を形成する。
【０１３２】
このような走査型レーザ検眼鏡（１）によれば、被検者への負担や画質の低下といった問題を伴うことなくゴースト光を除去することが可能である。すなわち、走査型レーザ検眼鏡（１）においては、被検者への負担となる散瞳剤を投与したり、共焦点絞りを用いたり、直線偏光のレーザ光を被検眼に照射したりすることなく、眼底の正面画像にゴースト光が混入することを防止できる。
【０１３３】
実施形態において、所定の回転方向の円偏光のレーザ光（Ｌ）を被検眼（Ｅ）に照射し、その戻り光（ＲＬ）のうち当該回転方向の円偏光の成分を検出して画像を形成するように構成することが可能である。その例として次のものがある。
【０１３４】
光学素子群（１３、７１）は、偏光特性変換素子（１３）と、偏光成分選択素子（７１）とを含む。偏光特性変換素子（１３）は、光源（１１）から出力されたレーザ光（Ｌ０）の偏光特性を、レーザ光（Ｌ０）の進行方向に対して第１回転方向の円偏光に変換する。偏光成分選択素子（７１）は、円偏光のレーザ光（Ｌ）の被検眼（Ｅ）からの戻り光（ＲＬ）のうち、第１回転方向に対応する第１方向の直線偏光成分を選択的に通過させる。
【０１３５】
偏光特性変換素子（１３）および偏光成分選択素子（７１）として、次のような構成を適用することが可能である。偏光特性変換素子（１３）は、第１偏光子（１３ａ）と、第１波長板（１３ｂ）とを含む。第１偏光子（１３ａ）は、光源（１１）から出力されたレーザ光（Ｌ０）の偏光特性を、第１方向の直線偏光に変換する。第１波長板（１３ｂ）は、第１の偏光子（１３ａ）を通過したレーザ光（Ｌ０）の偏光特性を、第１方向の直線偏光から第１回転方向の円偏光に変換する。さらに、偏光成分選択素子（７１）は、第２波長板（７１ａ）と、第２偏光子（７１ｂ）とを含む。第２波長板（７１ａ）は、被検眼（Ｅ）からの戻り光（ＲＬ）に含まれる第１回転方向の円偏光成分を第１方向の直線偏光成分に変換し、且つ、第１回転方向とは逆の第２回転方向の円偏光成分を、第１方向に直交する第２方向の直線偏光成分に変換する。第２偏光子（７１ｂ）は、第２波長板（７１ａ）により得られた第１方向の直線偏光成分および第２方向の直線偏光のうち、第１方向の直線偏光成分を選択的に通過させる。
【０１３６】
実施形態において、第１波長板（１３ｂ）と、第２波長板（７１ａ）とを共通化することが可能である。すなわち、第１波長板（１３ｂ）と第２波長板（７１ａ）とを同一の部材（８０）として構成することができる。この部材（８０）は、レーザ光（Ｌ０、Ｌ）の光路と、戻り光（ＲＬ）の光路との共通部分の任意の位置に配置される。
【０１３７】
波長板の共通化に加え、第１偏光子（１３ａ）と第２偏光子（７１ｂ）とを同一の部材（９０）として構成することが可能である。この部材（９０）は、レーザ光（Ｌ０、Ｌ）の光路と、戻り光（ＲＬ）の光路との共通部分の任意の位置に配置される。さらに、この部材（９０）は、共通の波長板としての部材（８０）よりも、光源（１１）側且つ受光素子（７４）側に配置される。
【０１３８】
実施形態において、直線偏光のレーザ光を出力する光源（１１）を用いることが可能である。その場合、次のような構成を適用することができる。光学素子群は、偏光特性変換素子（１３）と、偏光成分選択素子（７１）とを含む。偏光特性変換素子（１３）は、光源（１１）から出力された第１方向の直線偏光のレーザ光（Ｌ０）の偏光特性を、このレーザ光（Ｌ０）の進行方向に対して第１回転方向の円偏光に変換する。偏光成分選択素子（７１）は、円偏光のレーザ光（Ｌ）の被検眼（Ｅ）からの戻り光（ＲＬ）のうち、第１回転方向に対応する第１方向の直線偏光成分を選択的に通過させる。
【０１３９】
直線偏光のレーザ光を出力する光源（１１）を用いる場合において、偏光特性変換素子（１３）および偏光成分選択素子（７１）は次のように構成されていてよい。偏光特性変換素子（１３）は、第１方向の直線偏光のレーザ光（Ｌ０）の偏光特性を、第１回転方向の円偏光に変換する第１波長板（１３）を含む。偏光成分選択素子（７１）は、第２波長板（７１ａ）と、偏光子（７１ｂ）とを含む。第２波長板（７１ａ）は、被検眼（Ｅ）からの戻り光（ＲＬ）に含まれる第１回転方向の円偏光成分を第１方向の直線偏光成分に変換し、且つ、第１回転方向とは逆の第２回転方向の円偏光成分を、第１方向に直交する第２方向の直線偏光成分に変換する。偏光子（７１ｂ）は、第２波長板（７１ａ）により得られた第１方向の直線偏光成分および第２方向の直線偏光のうち、第１方向の直線偏光成分を選択的に通過させる。
【０１４０】
このような構成において、第１波長板（１３）と第２波長板（７１ａ）とを同一の部材として構成することが可能である。この部材は、レーザ光（Ｌ０、Ｌ）の光路と、戻り光（ＲＬ）の光路との共通部分の任意の位置に配置される。
【０１４１】
実施形態において、円偏光のレーザ光を出力する光源（１１）を用いることが可能である。その場合、次のような構成を適用することができる。光学系は、光源（１１）から出力された、進行方向に対して第１回転方向の円偏光のレーザ光（Ｌ０、Ｌ）を、被検眼（Ｅ）に照射する。光学素子群（１３、７１）は、円偏光のレーザ光（Ｌ）の被検眼（Ｅ）からの戻り光（ＲＬ）のうち、第１回転方向に対応する第１方向の直線偏光成分を選択的に通過させる。
【０１４２】
円偏光のレーザ光を出力する光源（１１）を用いる場合において、偏光成分選択素子（７１）は次のように構成されていてよい。なお、本例においては、偏光特性変換素子（１３）を設ける必要はない。偏光成分選択素子（７１）は、波長板（７１ａ）と、偏光子（７１ｂ）とを含む。波長板（７１ａ）は、被検眼（Ｅ）からの戻り光（ＲＬ）に含まれる第１回転方向の円偏光成分を第１方向の直線偏光成分に変換し、且つ、第１回転方向とは逆の第２回転方向の円偏光成分を、第１方向に直交する第２方向の直線偏光成分に変換する。偏光子（７１ｂ）は、波長板（７１ａ）により得られた第１方向の直線偏光成分および第２方向の直線偏光のうち、第１方向の直線偏光成分を選択的に通過させる。
【０１４３】
実施形態において、円偏光以外の偏光状態のレーザ光を用いることが可能である。その例として、ラジアル偏光およびアジマス偏光がある。本例では、ラジアル偏光（またはアジマス偏光）のレーザ光（Ｌ）を被検眼（Ｅ）に照射し、その戻り光（ＲＬ）のうちアジマス偏光の成分（またはラジアル偏光の成分）を検出して画像を形成するように構成することが可能である。その例として次のものがある。
【０１４４】
光学素子群（１３、７１）は、偏光特性変換素子（１３）と、偏光成分選択素子（７１）とを含む。偏光特性変換素子（１３）は、光源（１１）から出力されたレーザ光（Ｌ０）の偏光特性をラジアル偏光に変換する。偏光成分選択素子（７１）は、ラジアル偏光のレーザ光（Ｌ）の被検眼（Ｅ）からの戻り光（ＲＬ）のうちアジマス偏光成分を選択的に通過させる。
【０１４５】
偏光特性変換素子（１３）および偏光成分選択素子（７１）として、次のような構成を適用することが可能である。偏光特性変換素子（１３）は、偏光子（１３ｃ）と、第１偏光制御素子（１３ｄ）とを含む。偏光子（１３ｃ）は、光源（１１）から出力されたレーザ光（Ｌ０）の偏光特性を直線偏光に変換する。第１偏光制御素子（１３ｄ）は、偏光子（１３ｃ）を通過したレーザ光（Ｌ０）の偏光特性を、直線偏光からラジアル偏光に変換する。さらに、偏光成分選択素子（７１）は、被検眼（Ｅ）からの戻り光（ＲＬ）のうちアジマス偏光成分を選択的に通過させる第２偏光制御素子（７１ｃ）を含む。なお、偏光成分選択素子（７１）は、第２偏光制御素子（７１ｃ）を通過したアジマス偏光成分を直線偏光に変換する偏光子をさらに含んでいてよい。
【０１４６】
ラジアル偏光およびアジマス偏光を利用する場合の他の例として、次のような構成を適用することが可能である。光学素子群（１３、７１）は、偏光特性変換素子（１３）と、偏光成分選択素子（７１）とを含む。偏光特性変換素子（１３）は、光源（１１）から出力されたレーザ光（Ｌ０）の偏光特性をアジマス偏光に変換する。偏光成分選択素子（７１）は、アジマス偏光のレーザ光（Ｌ）の被検眼（Ｅ）からの戻り光（ＲＬ）のうちラジアル偏光成分を選択的に通過させる。
【０１４７】
偏光特性変換素子（１３）および偏光成分選択素子（７１）として、次のような構成を適用することが可能である。偏光特性変換素子（１３）は、偏光子（１３ｃ）と、第１偏光制御素子（１３ｄ）とを含む。偏光子（１３ｃ）は、光源（１１）から出力されたレーザ光（Ｌ０）の偏光特性を直線偏光に変換する。第１偏光制御素子（１３ｄ）は、偏光子（１３ｃ）を通過したレーザ光（Ｌ０）の偏光特性を、直線偏光からアジマス偏光に変換する。さらに、偏光成分選択素子（７１）は、被検眼（Ｅ）からの戻り光（ＲＬ）のうちラジアル偏光成分を選択的に通過させる第２偏光制御素子（７１ｃ）を含む。なお、偏光成分選択素子（７１）は、第２偏光制御素子（７１ｃ）を通過したラジアル偏光成分を直線偏光に変換する偏光子をさらに含んでいてよい。
【０１４８】
ラジアル偏光およびアジマス偏光を利用する場合において、直線偏光のレーザ光を出力する光源（１１）を用いることが可能である。その場合、次のような構成を適用することができる。光学素子群（１３、７１）は、偏光特性変換素子（１３）と、偏光成分選択素子（７１）とを含む。偏光特性変換素子（１３）は、光源（１１）から出力された直線偏光のレーザ光（Ｌ０）の偏光特性をラジアル偏光に変換する。偏光成分選択素子（７１）は、ラジアル偏光のレーザ光（Ｌ）の被検眼（Ｅ）からの戻り光（ＲＬ）のうちアジマス偏光成分を選択的に通過させる。
【０１４９】
ラジアル偏光およびアジマス偏光を利用し、且つ、直線偏光のレーザ光を出力する光源（１１）を用いる場合において、次のような構成を適用することも可能である。光学素子群（１３、７１）は、偏光特性変換素子（１３）と、偏光成分選択素子（７１）とを含む。偏光特性変換素子（１３）は、光源（１１）から出力された直線偏光のレーザ光（Ｌ０）の偏光特性をアジマス偏光に変換する。偏光成分選択素子（７１）は、アジマス偏光のレーザ光（Ｌ）の被検眼（Ｅ）からの戻り光（ＲＬ）のうちラジアル偏光成分を選択的に通過させる。
【０１５０】
ラジアル偏光およびアジマス偏光を利用する場合において、ラジアル偏光のレーザ光を出力する光源（１１）を用いることが可能である。その場合、次のような構成を適用することができる。光学系は、光源（１１）から出力されたラジアル偏光のレーザ光（Ｌ０、Ｌ）を被検眼（Ｅ）に照射する。光学素子群（１３、７１）は、ラジアル偏光のレーザ光（Ｌ）の被検眼（Ｅ）からの戻り光（ＲＬ）のうちアジマス偏光成分を選択的に通過させる偏光成分選択素子（７１ｃ）を含む。
【０１５１】
ラジアル偏光およびアジマス偏光を利用する場合において、アジマス偏光のレーザ光を出力する光源（１１）を用いることが可能である。その場合、次のような構成を適用することができる。光学系は、光源（１１）から出力されたアジマス偏光のレーザ光（Ｌ０、Ｌ）を被検眼（Ｅ）に照射する。光学素子群（１３、７１）は、アジマス偏光のレーザ光（Ｌ）の被検眼（Ｅ）からの戻り光（ＲＬ）のうちラジアル偏光成分を選択的に通過させる偏光成分選択素子（７１ｃ）を含む。
【０１５２】
以上に説明した構成は、この発明を好適に実施するための一例に過ぎない。よって、この発明の要旨の範囲内における任意の変形（省略、置換、付加等）を適宜に施すことが可能である。
【符号の説明】
【０１５３】
１  走査型レーザ検眼鏡
１０  光源部
１１  光源
１３  光学素子
１３ａ  偏光子
１３ｂ  波長板
１３ｃ  偏光子
１３ｄ  偏光制御素子、偏光特性変換素子
７０  受光部
７１  光学素子
７１ａ  波長板
７１ｂ  偏光子
７１ｃ  偏光制御素子、偏光成分選択素子
７４  受光素子
８０  波長板
９０  偏光子
１００  制御部
１３０  画像形成部
Ｅ  被検眼
Ｅｆ  眼底
【図１】
2014226156.tif 000003
【図２】
2014226156.tif 000004
【図３】
2014226156.tif 000005
【図４】
2014226156.tif 000006
【図５】
2014226156.tif 000007
【図６】
2014226156.tif 000008
【図７】
2014226156.tif 000009
【図８】
2014226156.tif 000010
【図９】
2014226156.tif 000011
【図１０】
2014226156.tif 000012
【図１１】
2014226156.tif 000013
【図１２】
2014226156.tif 000014
【図１３】
2014226156.tif 000015
【図１４】
2014226156.tif 000016
【図１５】
2014226156.tif 000017
【図１６】
2014226156.tif 000018
【図１７】
2014226156.tif 000019
【図１８】
2014226156.tif 000020
【図１９】
2014226156.tif 000021
【図２０】
2014226156.tif 000022
【図２１】
2014226156.tif 000023